(57)【要約】【課題】  回路規模、コストを増大させることなく、多色信号を生成、合成するための回路を提供することを課題とする。【解決手段】  ＯＳＤデータＹＤは、色指定信号Ａｓと混合率指定信号Ｔ２を含む。色指定信号Ａｓによって色レジスタ番号が指定されると、色記憶部４１ａは該当する色信号を出力する。そして、色記憶部４１ａから出力された色信号と、画像データＸＤとは、ＯＳＤデータＹＤの混合率指定信号Ｔ２に従って合成処理される。【選択図】図４
2008035530.tif 000002
【特許請求の範囲】
【請求項１】
第１映像デジタル信号と第２映像デジタル信号とを合成する回路であって、入力される第２映像デジタル信号は、色を指定する色指定信号と、混合比率を指定する信号（以下、混合率指定信号とする。）とを含むものであり、
a)  前記色指定信号によって指定可能な色の種類に対応した色信号を色信号蓄積手段に蓄積し、前記映像デジタル信号に含まれる前記色指定信号を入力した際、対応する色信号を出力する手段と、
b)  前記混合率指定信号に基づいて、前記第１映像デジタル信号で表現される色と前記色信号で表現される色とを合成した合成色信号を出力する手段と、を備えることを特徴とする色信号合成回路。
【請求項２】
請求項１に記載の色信号合成回路において、前記色信号蓄積手段は、さらに、前記第１映像デジタル信号と前記第２映像デジタル信号の混合比率を各色信号ごとに決定するための信号（以下、混合率決定信号とする。）を蓄積しており、前記色信号合成回路は、さらに、
c)  前記色指定信号と前記混合率指定信号とを含む長bit信号として前記第２映像デジタル信号を入力する場合と、前記色指定信号のみからなる短bit信号として前記第２映像デジタル信号を入力する場合とを指定する指定手段と、
d)  前記指定手段の指定に応じた処理を行う手段、すなわち、
d-1)  前記長bit信号を入力した場合は、請求項１記載の一連の処理を実行することにより、前記混合率指定信号に基づいて、前記第１映像デジタル信号で表現される色と前記色信号で表現される色とを合成した合成色信号を出力し、
d-2)  前記短bit信号を入力した場合は、前記手段a)により前記色指定信号に対応した色信号を取得するとともに、前記混合率決定信号に基づいて、前記第１映像デジタル信号で表現される色と前記手段a)より取得した色信号とを合成した合成色信号を出力する手段と、
を備えることを特徴とする色信号合成回路。
【請求項３】
請求項２に記載の色信号合成回路において、前記色信号蓄積手段は、Ｙ信号、Ｃｂ信号、Ｃｒ信号を前記色信号として蓄積するものであり、前記特定成分信号がＹ信号であることを特徴とする色信号合成回路。
【請求項４】
請求項２に記載の色信号合成回路において、前記色信号蓄積手段は、Ｙ信号、Ｃｂ信号、Ｃｒ信号、前記混合率決定信号を蓄積するものであり、前記特定成分信号がＹ信号であることを特徴とする色信号合成回路。
【請求項５】
請求項１ないし請求項４のいずれかに記載の色信号合成回路において、前記第１映像デジタル信号がデジタルカメラによって撮影された撮影映像信号であり、前記第２映像デジタル信号が前記撮影映像信号に重ねて表示させる付帯情報信号であることを特徴とする色信号合成回路。
【発明の詳細な説明】
【技術分野】
【０００１】
本発明は、色信号の生成および合成回路に関する。
【背景技術】
【０００２】
たとえばデジタルカメラにおいては、撮影した映像がモニタに表示されるとともに、その映像に重ねるようにして、撮影日付、時刻、カウンターなどの文字情報が表示される。また、所定のボタン操作を行うことにより、各種のメニューが撮影映像に重ねて表示される。このようにして撮影映像等に重ねて表示されるデータをＯＳＤ（On  screen  display）データと呼ぶ。
【０００３】
撮影映像に重ねて表示される文字情報等の映像は、最近では多色が用いられている。これにより、表示させる情報の内容によって色を変化させることや、グラデーション表示を行うなど、ＧＵＩの向上を図ることが可能である。
【０００４】
また、重ね合わせ映像を表示する注目画素について、文字情報等を表示する色と撮影映像に基づいて表示すべき色とを所定の混合比率で混合することにより透過性のある重ね合わせ表示を行うことを可能としている。これにより、多色表示と合わせてモニタ上の表示に様々な変化を加えることが可能である。
【発明の開示】
【発明が解決しようとする課題】
【０００５】
しかしながら、重ね合わせ表示に様々な色を使用するためには、それら色情報を蓄積するための記憶容量を多く必要とするという問題がある。特に、コンパクト化と省コスト化が進んでいるデジタルカメラやデジタルムービーなどの電子機器においては、この問題は重要である。
【０００６】
図７ないし図９は、従来から実施されている色信号合成回路の回路図である。図７は、重ね合わせ表示を１６色で行うことを可能とする色信号の合成回路図であり、図８、図９は、重ね合わせ表示を２５６色で行うことを可能とする色信号の合成回路図である。なお、これら回路の処理の流れ、回路の細部の説明は、本発明の実施の形態における説明と重複するので、ここでは説明を省略する。
【０００７】
重ね合わせ表示に１画素あたり４bitのデータを使用する１６色対応（図７）では、色記憶部１４１は、１６個の色レジスタ（色レジスタ０〜１５）を保有することになるが、１画素あたり８bitのデータを使用する２５６色対応（図８）では、色記憶部１５１は、２５６個の色レジスタ（色レジスタ０〜２５５）を保有することなる。このため、色数を多くするにしたがって、回路規模が増大し、コストの増大、消費電力の増大を招くという問題がある。
【０００８】
また、図９では、色記憶部１６１としてＳＲＡＭを採用したものである。この場合には、図８で示したように２５６個の色レジスタを保有するよりは回路規模をコンパクトにできるが、コストが増大するという問題がある。
【０００９】
そこで、本発明は前記問題点に鑑み、回路規模を増大させることなく、モニタ上に多色で重ね合わせ表示を行うことを可能とする信号合成技術を提供することを目的とする。
【課題を解決するための手段】
【００１０】
上記課題を解決するため、請求項１記載の発明は、第１映像デジタル信号と第２映像デジタル信号とを合成する回路であって、入力される第２映像デジタル信号は、色を指定する色指定信号と、混合比率を指定する信号（以下、混合率指定信号とする。）とを含むものであり、a)前記色指定信号によって指定可能な色の種類に対応した色信号を色信号蓄積手段に蓄積し、前記映像デジタル信号に含まれる前記色指定信号を入力した際、対応する色信号を出力する手段と、b)前記混合率指定信号に基づいて、前記第１映像デジタル信号で表現される色と前記色信号で表現される色とを合成した合成色信号を出力する手段と、を備えることを特徴とする。
【００１１】
請求項２記載の発明は、請求項１に記載の色信号合成回路において、前記色信号蓄積手段は、さらに、前記第１映像デジタル信号と前記第２映像デジタル信号の混合比率を各色信号ごとに決定するための信号（以下、混合率決定信号とする。）を蓄積しており、前記色信号合成回路は、さらに、c)前記色指定信号と前記混合率指定信号とを含む長bit信号として前記第２映像デジタル信号を入力する場合と、前記色指定信号のみからなる短bit信号として前記第２映像デジタル信号を入力する場合とを指定する指定手段と、d)前記指定手段の指定に応じた処理を行う手段、すなわち、d-1)前記長bit信号を入力した場合は、請求項１記載の一連の処理を実行することにより、前記混合率指定信号に基づいて、前記第１映像デジタル信号で表現される色と前記色信号で表現される色とを合成した合成色信号を出力し、d-2)前記短bit信号を入力した場合は、前記手段a)により前記色指定信号に対応した色信号を取得するとともに、前記混合率決定信号に基づいて、前記第１映像デジタル信号で表現される色と前記手段a)より取得した色信号とを合成した合成色信号を出力する手段と、を備えることを特徴とする。
【００１２】
請求項３記載の発明は、請求項２に記載の色信号合成回路において、前記色信号蓄積手段は、Ｙ信号、Ｃｂ信号、Ｃｒ信号を前記色信号として蓄積するものであり、前記特定成分信号がＹ信号であることを特徴とする。
【００１３】
請求項４記載の発明は、請求項２に記載の色信号合成回路において、前記色信号蓄積手段は、Ｙ信号、Ｃｂ信号、Ｃｒ信号、前記混合率決定信号を蓄積するものであり、前記特定成分信号がＹ信号であることを特徴とする。
【００１４】
請求項５記載の発明は、請求項１ないし請求項４のいずれかに記載の色信号合成回路において、前記第１映像デジタル信号がデジタルカメラによって撮影された撮影映像信号であり、前記第２映像デジタル信号が前記撮影映像信号に重ねて表示させる付帯情報信号であることを特徴とする。
【発明の効果】
【００１５】
以上説明したように、請求項１記載の発明では、第２映像デジタル信号に混合比率を指定する信号を含ませることにより、第１映像デジタル信号との透過度を変調して、表現力の豊かな合成表示を行うことが可能となる。
【００１６】
請求項２記載の発明では、入力信号である第２映像デジタル信号自身によって合成処理の透過度を設定するという選択と、第２映像デジタル信号のbit数を削減するという選択を可能とすることにより、用途に応じた利便性の高い構成とすることができる。
【００１７】
請求項３記載の発明では、色信号蓄積手段に蓄積される色信号はＹ，Ｃｂ，Ｃｒ信号であり、Ｙ信号を特定成分信号として変化させるので、適用範囲の広い構成となる。
【００１８】
請求項４記載の発明では、色信号蓄積手段に蓄積される色信号はＹ，Ｃｂ，Ｃｒ信号および混合率決定信号であり、Ｙ信号を特定成分信号として変化させるので、適用範囲の広い構成となる。
【００１９】
請求項５記載の発明では、色合成回路をデジタルカメラに適用させることにより、撮影映像と文字情報等の重ね合わせ表示に適用可能である。
【発明を実施するための最良の形態】
【００２０】
以下、図面を参照しつつ本発明の実施の形態について説明する。図１は、本発明の実施の形態１〜５にかかる色信号合成回路４を含む色処理装置１の機能ブロック図である。
【００２１】
色処理装置１は、色信号の入力および前処理を行う画像入力部２と、画像入力部２において処理された色信号を記憶する記憶部３と、記憶部３に記憶された画像データＸＤとＯＳＤデータＹＤとを合成処理する色信号合成回路４と、色信号合成回路４の出力信号を表示させる表示部５とを含んでいる。
【００２２】
記憶部３は、たとえば、ＳＤＲＡＭ等の半導体メモリであり、表示部５は、たとえば、液晶モニタで構成される。
【００２３】
色処理装置１は、たとえば、デジタルカメラに組み込まれる。この場合、画像入力部２において入力される画像データＸＤは、デジタルカメラで撮影された撮影映像のデータであり、ＯＳＤデータＹＤは、画像データＸＤに重ねて表示される文字情報等を表示するための映像データである。
【００２４】
｛実施の形態１｝
次に、本発明の実施の形態１について説明する。図２は実施の形態１にかかる色信号合成回路４の機能ブロック図である。
【００２５】
この回路は、２４bitの画像データＸＤと８bitのＯＳＤデータＹＤとを入力する。ＯＳＤデータＹＤの下位４bitは、重ね合わせ表示に使用する基本となる色を指定する色指定信号Ａｓであり、上位４bitは、輝度信号Yに作用することで、基本となる色に変化を加えるための色変化信号Ｅｘである。
【００２６】
また、色信号合成回路４は、１６個の色レジスタ０〜１５からなる色記憶部４１を備えている。また、色記憶部４１はセレクタとしての機能を備え、色指定信号Ａｓによっていずれかの色レジスタ番号が指定されると、対応する色の信号を出力する機能も備える。
【００２７】
各色レジスタには、２８bitのデータが記憶されており、これらの内訳は、色分解成分の信号としてのＹ値、Ｃｂ値、Ｃｒ値がそれぞれ８bit含まれ、また、画像データＸＤとＯＳＤデータＹＤとを混合するための比率（透過度と考えても良い。）を決定する混合率決定信号Ｔ１が４bit含まれている。
【００２８】
本実施の形態においては、色レジスタのフォーマットは以下の通りである：０〜  ７bit  ：  Ｙ値８〜１５bit  ：  Ｃｂ値１６〜２３bit  ：  Ｃｒ値２４〜２７bit  ：  Ｔ１従って、下位２４bitで色成分を構成していることになる。
【００２９】
また、本実施の形態において、混合率決定信号Ｔ１は０〜８までの９段階の値を設定するようにしている。この値が０に設定されている場合には、当該画素については、１００％画像データＸＤを表示させる。この値が１，２・・・７に設定されている場合には、それぞれＯＳＤデータＹＤを１／８，２／８・・・７／８の割合で混合させる。そして、この値に８が設定されている場合には、１００％ＯＳＤデータＹＤを表示させるのである。
【００３０】
色指定信号Ａｓによってレジスタ番号が指定され、色記憶部４１から指定された色レジスタの色信号が出力されると、これらの信号が、輝度信号Ｙと、輝度信号を除く他の信号Ｃｂ，Ｃｒ，Ｔ１に分岐される。
【００３１】
そして、輝度信号Ｙは、演算器４２において、ＯＳＤデータＹＤの上位４bitである色変化信号Ｅｘと乗算される。これによって、色記憶部４１から出力された色の輝度成分に変化が加えられることになる。そして、ＯＳＤデータＹＤの上位４bitを乗算させるので、輝度成分は最大１６パターンに変化させることが可能である。
【００３２】
演算器４２において輝度成分のbit数が４bit分大きくなるが、演算器４３においては、１／８倍、つまり、３bit右にシフト計算を行いリミッターをかけながら最上位１bitを切り捨てるとともに、下位３bitの切り捨て演算を行ってbit数を調整する。この際、計４bitの切り捨てによっても輝度成分の１６パターンの変化が確保されるように、色変化信号Ｅｘを決定するようにしておけばよい。
【００３３】
そして、輝度成分に変化が加えられbitを調整された信号（この信号を以下、Ｙ変化信号と呼ぶ。）が再び、他の信号（Ｃｂ信号、Ｃｒ信号、混合率決定信号Ｔ１）と合流する。
【００３４】
次に、合流した信号から混合率決定信号Ｔ１が、それ以外の信号と分岐される。それ以外の信号、つまり、Ｙ変化信号、Ｃｂ信号、Ｃｒ信号は、演算器４６に入力される。一方、混合率決定信号Ｔ１は、２方向に分岐され、一方は、演算器４６に入力され、他方は、演算器４４に入力される。
【００３５】
演算器４４は、画像データＸＤ側の混合比率を算出するための信号である。前述の如く、混合率決定信号Ｔ１は、０から８までの値をとり得るので、演算器４４では、８から混合率決定信号Ｔ１で指定される値を減算することにより、画像データＸＤ側の混合比率を算出する。
【００３６】
そして、演算器４５においては、入力された画像データＸＤの各色成分には、演算器４４で算出された混合比率が乗算される。一方、演算器４６においては、色記憶部４１から出力されたＹ変化信号、Ｃｂ信号、Ｃｒ信号に対して混合率決定信号Ｔ１が乗算される。
【００３７】
ここでは、説明を簡単にしたが、実際には、混合率決定信号Ｔ１がＸの値を示している場合には、演算器４６では、各信号値にＸ／８が乗算され、演算器４５では、各信号値に（８−Ｘ）／８が乗算されることなる。
【００３８】
最後に、加算器４７において、乗算器４５および乗算器４６の出力のそれぞれの同じ色分解成分の信号が加算されて合成色信号が出力される。
【００３９】
出力された合成色信号は、Ｙ，Ｃｂ，Ｃｒそれぞれ８bitの信号であり、表示部５において、合成映像が表示されることになる。
【００４０】
このように、本実施の形態においては、色記憶部４１の備える色レジスタは１６個であるが、ＯＳＤデータＹＤの上位４bitで構成される色変化信号Ｅｘを利用することにより、輝度成分に１６パターンの変調を与え、結果的に２５６色の色パレットを用意していることと同等となる。つまり、従来の回路においては、１６色しか保有することのできなかった回路構成によって２５６色対応を実現しているので、回路規模の縮小と省コストが実現するのである。
【００４１】
｛実施の形態２｝
次に、図３を参照しながら実施の形態２について説明する。実施の形態２についての回路の基本構成は、実施の形態１と略同様である。したがって、実施の形態１と同様の構成については、説明を省略する。
【００４２】
実施の形態２においては、入力されるＯＳＤデータＹＤのbit数は、８bitと４bitの２つのパターンが選択可能とされている。８bitのＯＳＤデータＹＤは、実施の形態１と同様に、上位４bitが輝度信号に変化を与える色変化信号Ｅｘであり、下位４bitが色を指定する色指定信号Ａｓである。これに対して、４bitのＯＳＤデータＹＤは、色を指定する色指定信号Ａｓのみを含んでいる。
【００４３】
また、この実施の形態においては、入力されるＯＳＤデータＹＤを切り替えるための２個のセレクタ５２，５３と、各セレクタ５２，５３に、選択情報を送出する選択指示部５１とを備えている。
【００４４】
選択指示部５１においては、８bitのＯＳＤデータＹＤを選択する場合には、「１」がセットされ、４bitのＯＳＤデータＹＤを選択する場合には、「０」がセットされる。選択指示部５１は、図示せぬ制御部（ＣＰＵ等、全体を制御する機能部）からの指示にしたがって選択情報をセットし、各セレクタ５２，５３に選択情報を送出する。
【００４５】
そして、各セレクタ５２，５３に「１」がセットされた場合の回路の動作は、実施の形態１と同様である。
【００４６】
次に、各セレクタ５２，５３に「０」がセットされた場合の回路の動作について、説明する。
【００４７】
この場合にも、実施の形態１と同様に、ＯＳＤデータＹＤ全体で構成される色指定信号Ａｓによって色レジスタが指定され、２８bitの色信号が出力される。さらに、同様に、色信号からＹ信号が分離され演算器４２に入力されセレクタ５２からの出力と乗算される。ここで、セレクタ５２は、選択情報が「０」の場合には、Ｙ信号を８倍、つまり、３bit左にシフトさせるための値を出力するため、演算器４２においてＹ信号は３bit左にシフトされる。そして、演算器４３においては、右に３bitシフトさせる演算が行われるため、Ｙ信号は、変化することなくそのまま出力されることになる。
【００４８】
そして、再び、Ｃｂ信号、Ｃｒ信号とＹ信号とが合流し、その後は、実施の形態１と同様の処理が行われる。ただし、この場合（ＯＳＤデータＹＤが４bitの場合）には、Ｙ信号が変調されていないので、色記憶部４１に蓄積された１６色のみを重ね合わせ表示用の色として使用することが可能である。
【００４９】
このように実施の形態２は、１６個の色レジスタを備える１つの色記憶部４１を備える構成において、入力するＯＳＤデータＹＤを４bitと８bitで切り替えることにより、８bitのＯＳＤデータＹＤを入力した場合には、２５６色の重ね合わせ表示を行い、４bitのＯＳＤデータＹＤを入力した場合には、１６色の重ね合わせ表示を行うことが可能である。したがって、この色合成回路４が組み込まれる電子機器等において、入力データのサイズを大きくして多くの色を利用するか、もしくは、色はある程度少なくてもよいのであれば入力データのサイズを小さくする、といった用途に応じた設計を行うことが可能である。
【００５０】
｛実施の形態３｝
次に、図４を参照しながら実施の形態３について説明する。実施の形態３においては、入力されるＯＳＤデータＹＤは８bitであり、その上位４bitは、画像データＸＤとＯＳＤデータＹＤとの混合比率を指定する混合率指定信号Ｔ２であり、下位４bitは、基本となる色を指定する色指定信号Ａｓである。
【００５１】
色記憶部４１ａは、１６個の色レジスタを備えている。各色レジスタ０〜１５は、Ｙ信号、Ｃｂ信号、Ｃｒ信号をそれぞれ８bit、全体で２４bitのデータを蓄積している。
【００５２】
本実施の形態においては、色レジスタのフォーマットは以下の通りである：０〜  ７bit  ：  Ｙ値８〜１５bit  ：  Ｃｂ値１６〜２３bit  ：  Ｃｒ値従って、実施の形態１，２とは異なり、混合率決定信号Ｔ１は含まれず、色成分の信号のみを含んでいる。
【００５３】
色記憶部４１ａは、セレクタとしての機能を備え、色指定信号Ａｓによって指定された色レジスタ番号から色信号を出力する機能も備える。出力された色信号は演算器４６に入力される。
【００５４】
混合率指定信号Ｔ２は２方向に分岐され、一方は、演算器４６に入力される。他方は、演算器４４に入力され、画像データＸＤ側の混合比率が算出される。算出された混合比率は演算器４５に入力される。この後は、実施の形態１と同様に、画像データＸＤ、ＯＳＤデータＹＤにそれぞれ混合比率が乗算されたのち、演算器４７において加算されて出力される。
【００５５】
このように、実施の形態３は、色レジスタの個数を増やすことなく、入力するＯＳＤデータＹＤ内に混合比率を指定する信号を含ませることにより、画素ごとに表現できる透過率を変調させることが可能である。したがって、従来の１６色対応の回路と比べて回路規模は同じであっても、より表現力のある情報表示を行うことが可能である。
【００５６】
｛実施の形態４｝
次に、図５を参照しながら実施の形態４について説明する。実施の形態４は、実施の形態３を拡張させた実施の形態であり、入力するＯＳＤデータＹＤは、８bitと４bitで切り替え可能である。
【００５７】
８bitのＯＳＤデータＹＤは、上位４bitが画像データＸＤとＯＳＤデータＹＤの混合比率を指定するための混合率指定信号Ｔ２であり、下位４bitが基本となる色を指定するための色指定信号Ａｓである。４bitのＯＳＤデータＹＤは、基本となる色を指定する色指定信号Ａｓのみからなるデータである。
【００５８】
また、この実施の形態においては、入力されるＯＳＤデータＹＤを切り替えるためのセレクタ５３と、セレクタ５３に選択情報を送出する選択指示部５１と、混合比率に採用する信号を選択するセレクタ６２と、セレクタ６２に選択情報を送出する選択指示部６１とを備えている。
【００５９】
選択指示部５１においては、８bitのＯＳＤデータＹＤを選択する場合には、「１」がセットされ、４bitのＯＳＤデータＹＤを選択する場合には、「０」がセットされる。
【００６０】
選択指示部６１においては、混合率指定信号Ｔ２を選択する場合には、「１」がセットされ、混合率決定信号Ｔ１を選択する場合には、「０」がセットされる。
【００６１】
セレクタ５３に「１」がセットされ、セレクタ６２に「１」がセットされた場合の回路の動作は、実施の形態３と略同様である。ただし、色記憶部４１においては実施の形態３と異なり混合率決定信号Ｔ１を含む２８bitの色信号が出力されるが、このうち混合率決定信号Ｔ１は利用されることはなく、ＯＳＤデータＹＤ内の混合率指定信号Ｔ２を用いて合成処理が行われる。
【００６２】
次に、セレクタ５３に「０」がセットされ、セレクタ６２に「０」がセットされた場合の回路の動作について、説明する。
【００６３】
この場合には、４bitのＯＳＤデータＹＤ全体で構成される色指定信号Ａｓによって色レジスタが指定され、２８bitの色信号が出力される。次に、色信号からＴ１信号が分離されセレクタ６２に入力される。ここで、セレクタ６２には、「０」がセットされているので、Ｔ１信号を出力する。
【００６４】
出力されたＴ１信号の一方は、演算器４６に入力され、他方は、演算器４４において画像データＸＤ側の混合比率が算出されて、当該算出値が演算器４５に入力される。そして、演算器４５，４６において、それぞれの混合比率が乗算された後、演算器４７において各色分解成分の信号が加算されて合成信号が出力される。
【００６５】
このように実施の形態４は、１６個の色レジスタを備える１つの色記憶部４１を備える構成において、入力するＯＳＤデータＹＤを４bitと８bitで切り替えることにより、８bitのＯＳＤデータＹＤを入力した場合には、ＯＳＤデータＹＤ内に含まれる混合率指定信号Ｔ２を用いて重ね合わせ表示の透過率を変調し、４bitのＯＳＤデータＹＤを入力した場合には、色記憶部４１内に蓄積されている混合比率に従った色合成処理を行うのである。したがって、この色合成回路４が組み込まれる電子機器等において、入力データのサイズを大きくすることにより、入力データによって透過度を自由に変調させるのか、もしくは、透過率は色レジスタ内の固定値を利用する代わりに入力データのサイズを小さくしてメモリを節約する、といった用途に応じた設計を行うことが可能である。
【００６６】
｛実施の形態５｝
実施の形態５は、これまで説明した実施の形態１〜４を包含する実施の形態である。
【００６７】
この実施の形態においては、入力するＯＳＤデータＹＤは以下に示す３種類である：    （１）上位４bit色変化信号Ｅｘ  ；下位４bit色指定信号Ａｓ
（２）上位４bit混合率指定信号Ｔ２  ；下位４bit色指定信号Ａｓ
（３）４bit色指定信号Ａｓのみ
つまり、（１）、（２）は全体で８bit、（３）は全体で４bitのＯＳＤデータである。
【００６８】
また、本実施の形態の色信号合成回路４は、３つのセレクタ５２，５３，６２と、セレクタ５２，５３に選択情報を設定するための選択指示部５１と、セレクタ６２に選択情報を設定するための選択指示部６１とを備えている。
【００６９】
なお、選択指示部６１とセレクタ５２とは、インバータ６３およびＡＮＤ回路６４を介して接続され、選択指示部５１とセレクタ５２とはＡＮＤ回路６４を介して接続されている。したがって、選択指示部５１に「１」がセットされ、選択指示部６１に「０」がセットされた場合には、セレクタ５２には選択情報「１」が送出されるが、その他の場合はセレクタ５２に選択情報「０」が送出される。
【００７０】
以下、入力ＯＳＤデータＹＤが、上記（１）、（２）、（３）のそれぞれの場合に分けて、色合成回路４の動作について説明する。
【００７１】
＜１．ＯＳＤデータが（１）の場合＞
選択指示部５１には「１」、選択指示部６１には「０」がセットされる。したがって、セレクタ５２，５３，６２には、それぞれ選択情報「１」、「１」、「０」が送出される。
【００７２】
この場合には、実施の形態１と同様の動作をする。つまり、ＯＳＤデータＹＤは、色指定信号Ａｓによって基本となる色を指定するとともに、色変化信号Ｅｘによって、当該基本となる色の輝度成分を変調する。そして、色レジスタに蓄積されていた混合率決定信号Ｔ１を利用して、画像データＸＤとＯＳＤデータＹＤの合成処理が行われる。
【００７３】
＜２．ＯＳＤデータが（２）の場合＞
選択指示部５１には「１」、選択指示部６１には「１」がセットされる。したがって、セレクタ５２，５３，６２には、それぞれ選択情報「０」、「１」、「１」が送出される。
【００７４】
この場合には、実施の形態３と同様の動作をする。つまり、ＯＳＤデータＹＤの色指定信号Ａｓによって重ね合わせ表示を行う色を指定し、ＯＳＤデータＹＤに含まれている混合率指定信号Ｔ２によって、重ね合わせ表示の透過度を変調するのである。ただし、実施の形態３とは異なり色記憶部４１から出力される色信号にはＴ１信号が含まれるが、当該Ｔ１信号は利用されない。
【００７５】
＜３．ＯＳＤデータが（３）の場合＞
選択指示部５１には「０」、選択指示部６１には「０」がセットされる。したがって、セレクタ５２，５３，６２には、それぞれ選択情報「０」、「０」、「０」が送出される。
【００７６】
この場合には、実施の形態２と実施の形態４において、４bitのＯＳＤデータＹＤが入力された場合と同様の動作をする。つまり、ＯＳＤデータＹＤは色指定信号Ａｓのみからなり、ＯＳＤデータＹＤによっては、輝度成分の変調や透過度の変調は行われず、色記憶部４１に蓄積されていた混合率決定信号Ｔ１に基づいて透過度が決定される。したがって、このモードの場合には、図７で示した従来の合成回路と同様の動作をすることになる。
【００７７】
このように実施の形態５においては、様々な用途に応じて合成表示のモードを切り替えて使用することが可能である。２５６色の鮮やかな情報表示を行いたい場合や、細やかな透過度の設定によりグラデーション表示を行いたい場合などには、ＯＳＤデータＹＤとして８bitのデータを使用すればよいし、メモリを節約したい場合いは、ＯＳＤデータＹＤを４bitとして従来の回路と同様の動作をさせることも可能である。
【００７８】
以上、説明した実施の形態１〜５については、画像データＸＤとＯＳＤデータＹＤを合成する色信号合成回路として説明したが、色合成回路中の画像データＸＤとの混合処理を除けば、入力したＯＳＤデータＹＤに基づいて色を生成する色信号生成回路として独立して他の用途にも適用可能である。
【００７９】
｛変形例｝
上記各実施の形態においては、１６色の色レジスタを備えながら輝度成分を変調することにより重ね合わせ表示の色数を２５６色に増色させるようにした。しかし、ＯＳＤデータＹＤのbit数をさらに拡大できるのであれば、色変化信号Ｅｘのbit数を増やすことによって輝度成分の変調パターンをさらに増加させることが可能である。
【００８０】
同様に、ＯＳＤデータＹＤのbit数を拡大できるのであれば、混合率指定信号Ｔ２のbit数を増やすことによって透過度の変調パターンをさらに増加させることが可能である。
【００８１】
上記各実施の形態においては、Ｃｂ，Ｃｒ，Ｙ信号のうち、輝度成分であるＹ信号を変調させるようにしているが、他の色分解成分Ｃｂ，Ｃｒ信号を変調させるようにしてもよい。
【００８２】
また、上記各実施の形態においては、色空間としてＹ，Ｃｂ，Ｃｒ空間を例に説明したが、他の色空間（ＲＧＢ系、ＸＹＺ系）においても本発明の色信号合成回路は適用可能である。
【図面の簡単な説明】
【００８３】
【図１】本発明にかかる色信号合成回路を利用した画像処理回路の全体図である。
【図２】実施の形態１にかかる色信号合成回路を示す図である。
【図３】実施の形態２にかかる色信号合成回路を示す図である。
【図４】実施の形態３にかかる色信号合成回路を示す図である。
【図５】実施の形態４にかかる色信号合成回路を示す図である。
【図６】実施の形態５にかかる色信号合成回路を示す図である。
【図７】色信号合成回路の第１の従来例を示す図である。
【図８】色信号合成回路の第２の従来例を示す図である。
【図９】色信号合成回路の第３の従来例を示す図である。
【符号の説明】
【００８４】
４  色信号合成回路
４１  色記憶部
Ａｓ  色指定信号
Ｅｘ  色変化信号
Ｔ１  混合率決定信号
Ｔ２  混合率指定信号
ＸＤ  画像データ
ＹＤ  ＯＳＤデータ
【図１】
2008035530.tif 000003
【図２】
2008035530.tif 000004
【図３】
2008035530.tif 000005
【図４】
2008035530.tif 000006
【図５】
2008035530.tif 000007
【図６】
2008035530.tif 000008
【図７】
2008035530.tif 000009
【図８】
2008035530.tif 000010
【図９】
2008035530.tif 000011